(57)【要約】【課題】従来の技術による諸問題を解決するため、対称型か非対称型摂動構造逆Ｆ型アンテナを提供する。【解決手段】アンテナ４８は側縁に複数の凹部３７が形成されてＲＦ信号を受発信するラジエーター３８と、ラジエーター３８と接続されてＲＦ信号を伝送するフィード端３２と、ラジエーター３８と接続されて接地するための接地端３０とを含む。【選択図】図３
2004364236.tif 000002
【特許請求の範囲】
【請求項１】
無線通信用のアンテナであって、該アンテナは、
側縁に複数の凹部が形成されてＲＦ信号を受発信するラジエーターと、
ラジエーターと接続されてＲＦ信号を伝送するフィード端と、
ラジエーターと接続されて接地するための接地端とを含むことを特徴とするアンテナ。
【請求項２】
前記アンテナは更に前記ラジエーターが形成される基板を含み、該基板にはフィード端と接地端が基板をうがつための複数の孔が設けられることを特徴とする請求項１記載のアンテナ。
【請求項３】
前記基板は長い辺と短い辺を具え、フィード端と接地端は短い辺に沿って設けられることを特徴とする請求項２記載のアンテナ。
【請求項４】
前記アンテナは更に前記接地端が接続される接地板を具えることを特徴とする請求項１記載のアンテナ。
【請求項５】
前記接地板は基板に形成されることを特徴とする請求項４記載のアンテナ。
【請求項６】
前記アンテナは更に、フィード端と接地端との間に形成される溝を具えることを特徴とする請求項１記載のアンテナ。
【請求項７】
前記アンテナがプリント回路ボードに設けられることを特徴とする請求項１記載のアンテナ。
【請求項８】
前記ラジエーターの複数の凹部は非対称的にラジエーターの両側に形成されることを特徴とする請求項１記載のアンテナ。
【請求項９】
前記ラジエーターの複数の凹部は対称的にラジエーターの両側に形成されることを特徴とする請求項１記載のアンテナ。
【請求項１０】
前記ラジエーターの複数の凹部が不規則な形を呈することを特徴とする請求項１記載のアンテナ。
【請求項１１】
無線通信用のアンテナであって、該アンテナは、
長い辺と短い辺と、短い辺に沿って基板をうがつ二つの孔を具える基板と、
基板の上表面に形成されて、側縁に複数の凹部が設けられてＲＦ信号を受発信するラジエーターと、
孔を通してラジエーターと接続されてＲＦ信号を伝送するフィード端と、
基板の下表面に形成される接地板と、
孔を通してラジエーターと接地板と接続される接地端と、
フィード端と接地端との間に形成される溝とを含み、そのうちフィード端と接地端は基板の短い辺に沿って設けられることを特徴とするアンテナ。
【請求項１２】
前記アンテナがプリント回路ボードに設けられることを特徴とする請求項１１記載のアンテナ。
【請求項１３】
前記ラジエーターの複数の凹部は非対称的にラジエーターの両側に形成されることを特徴とする請求項１１記載のアンテナ。
【請求項１４】
前記ラジエーターの複数の凹部は対称的にラジエーターの両側に形成されることを特徴とする請求項１１記載のアンテナ。
【請求項１５】
前記ラジエーターの複数の凹部が不規則な形を呈することを特徴とする請求項１１記載のアンテナ。
【発明の詳細な説明】
【技術分野】
【０００１】
この発明は無線通信用のアンテナに関し、特に対称型か非対称型摂動構造を有する逆Ｆ型アンテナに関する。
【背景技術】
【０００２】
情報化社会において、いつでもどこでも情報が手に入れられるように望まれている。無線通信設備は光ファイバーかワイヤを経ずに信号を伝送できるため、情報を伝送する最適な方法に違いない。技術の発展に従って、各種の携帯型無線通信設備、例えば携帯電話とパーソナルデジタルアシスタント（以下ＰＤＡと称する）などは、その便利性によって既に現代人にとって最も重要な情報交流手段になっている。
【０００３】
無線通信設備において、無線電波を受発信して無線データ信号を伝送交換するアンテナは最も重要なデバイスであるに違いない。特に現代の携帯型無線通信設備においては、アンテナはその小型化とともに、所要空間を節約するように小型化されるのみならず、無線データ信号のデータ集積（単位時間内の伝送ビット数ではかる）の増加に従って、アンテナの帯域幅も要求されるようになってくる。
【０００４】
図１を参照する。図１はパーソナルデジタルアシスタント（ＰＤＡ）２の機能ブロック図である。ＰＤＡ２は処理モジュール３と、液晶表示装置４と、無線周波数（ＲＦ）モジュール５と、アンテナ６と、電源回路７と、ＵＳＢインターフェイス８と、汎用非同期送受信回路（ＵＡＲＴ）９とを含む。処理モジュール３はＰＤＡ２のデータを制御し、液晶表示装置４は処理モジュール３におけるデータプラットホームとデータを表示し、ＲＦモジュール５はアンテナ６と処理モジュール３からの信号を処理し、アンテナ６はＲＦ信号を伝送し、電源回路７は処理モジュール３に電源を供給してＰＤＡ２を作動させ、ＵＳＢインターフェイス８またはＵＡＲＴ９はＰＤＡ２とその他の周辺装置とのインターフェイスとされる。アンテナ６が受信したＲＦ信号はまずＲＦモジュール５に復調され、復調された信号は処理モジュール３に処理される。ＲＦモジュール５が処理モジュール３からの信号を受信する場合、ＲＦモジュール５は信号を変調してＲＦ信号を生じさせ、またＲＦ信号はアンテナ６によって出力される。かくして無線通信は成立する。
【０００５】
図１におけるアンテナ６に関しては、図２を参照する。図２は従来の板状逆Ｆ型アンテナが回路ボード１２に置かれることを表わす説明図である。アンテナ１０は単一周波数の板状逆Ｆ型アンテナ（ＰＩＦＡ）であり、ＲＦ信号を受発信するラジエーター１４と、ラジエーター１４から伸び出て回路ボード１２の信号伝送端１８と垂直接続されてＲＦ信号を伝送するフィード端１６と、ラジエーター１４から伸び出て回路ボード１２の接地板２２と垂直接続されてＲＦ信号を伝送する接地端２０とを含む。アンテナ１０は単一周波数アンテナであり、その作動方法はラジエーターの共振によってＲＦ信号を受発信し、ラジエーター１４の長さは受発信し得る周波数範囲を影響する。
【０００６】
従来のアンテナ１０において、ラジエーター１４は縁に刻み目のない導電片であり、その共振長さはＲＦ信号の波長の四分の一に当たる。この発明はアンテナ１０のラジエーター１４の長さを低めることを目的とする。
【発明の開示】
【発明が解決しようとする課題】
【０００７】
この発明は前述の問題を解決するため、対称型か非対称型摂動構造逆Ｆ型アンテナを提供することを課題とする。
【課題を解決するための手段】
【０００８】
この発明は無線通信用のアンテナを提供する。該アンテナは側縁に複数の凹部が形成されてＲＦ信号を受発信するラジエーターと、ラジエーターと接続されてＲＦ信号を伝送するフィード端と、ラジエーターと接続されて接地するための接地端とを含む。
【０００９】
この発明は更に無線通信用のアンテナを提供する。該アンテナは長い辺と短い辺と、短い辺に沿って基板をうがつ二つの孔を具える基板と、基板の上表面に形成されて、側縁に複数の凹部が設けられてＲＦ信号を受発信するラジエーターと、孔を通してラジエーターと接続されてＲＦ信号を伝送するフィード端と、基板の下表面に形成される接地板と、孔を通してラジエーターと接地板と接続される接地端と、フィード端と接地端との間に形成される溝とを含む。そのうちフィード端と接地端は基板の短い辺に沿って設けられる。
【発明の効果】
【００１０】
従来の技術と比べ、この発明による板状逆Ｆ型アンテナは、各実施例におけるラジエーター３８、５２、６２、７２の両側にある対称型か非対称型周期的に配列される凹部をもって、周期的摂動効果を生じさせ、共振波長とラジエーターの長さを縮める。なお、この発明の第２の実施例と第４の実施例において、二つの金属孔４４、４６は容量負荷の機能をもつことによって、アンテナ５０の長さは更に短くされる。よってこの発明は現代のコンパクト型無線モバイル通信装置に対して、従来の板状逆Ｆ型アンテナより優れている。
【発明を実施するための最良の形態】
【００１１】
かかるアンテナの特徴を詳述するために、具体的な実施例を挙げ、図示を参照にして以下に説明する。
【実施例１】
【００１２】
図３を参照する。図３はこの発明の第１の実施例による板状逆Ｆ型アンテナ４８を表わす説明図である。この実施例において、アンテナ４８は基板３６と、接地端３０と、フィード端３２と、接地板４０と、ＲＦ信号を受発信するラジエーター３８とを含む。ラジエーター３８は複数の凹部３７と溝４２を含み、複数の凹部３７はラジエーター３８の両側に形成される。基板３６は長い辺Ｄ１と短い辺Ｌ１と、基板３６をうがって短い辺に沿って形成される二つの孔を具える。フィード端３２は孔を通してラジエーター３８と接続されるため、ラジエーター３８はフィード端３２を通してＲＦ信号を伝送する。接地端３０は孔を通してラジエーター３８と接地板４０と接続される。
【００１３】
図３によれば、溝４２はラジエーター３８の一側に形成され、接地端３０とフィード端３２との間にある。溝４２の幅Ｌ２と長さＤ２はアンテナ４８のインピーダンス整合を影響する。接地端３０とフィード端３２との間の距離もアンテナ４８のインピーダンス整合を影響する。
【００１４】
ラジエーター３８の両側の複数の凹部３７は非対称的周期的に配列されることによって、周期的摂動効果を生じさせ、アンテナ４８の共振波長とその本体の長さを縮める。
【実施例２】
【００１５】
図４を参照する。図４はこの発明の第２の実施例による板状逆Ｆ型アンテナ５０を表わす説明図である。第２の実施例における各デバイスの機能は第１の実施例に相似しているので、その番号づけを同じさせ、ここで説明を省略する。第１の実施例と第２の実施例の相違点は、アンテナ５０が容量負荷機能を有する二つの金属孔４４、４６をもつことである。そのためアンテナ５０の長さは更に短くされる。
【実施例３】
【００１６】
図５を参照する。図５はこの発明の第３の実施例による板状逆Ｆ型アンテナ６０を表わす説明図である。第３の実施例によるアンテナ６０におけるデバイスの機能は、第１の実施例によるアンテナ４８に相似しているので、その番号づけを同じくさせ、ここで説明を省略する。
【実施例４】
【００１７】
図６を参照する。図６はこの発明の第４の実施例による板状逆Ｆ型アンテナ７０を表わす説明図である。第４の実施例によるアンテナ７０におけるデバイスの機能は、第２の実施例によるアンテナ５０に相似しているので、その番号づけを同じくさせ、ここで説明を省略する。
【００１８】
第１の実施例と第３の実施例、そして第２の実施例と第４の実施例との相違点は、第３の実施例によるラジエーター６２と第４の実施例によるラジエーター７２が、対称的周期的に配列される複数の凹部をもって、周期的摂動効果を生じさせ、共振波長とラジエーターの長さを縮めることである。
【００１９】
この発明の第１の実施例、第２の実施例、第３の実施例及び第４の実施例におけるアンテナ４８、５０、６０、７０はそれぞれ基板を含む。ただし、基板を含まないアンテナもこの発明の範囲に属する。
【００２０】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００２１】
【図１】ＰＤＡの機能ブロック図である。
【図２】従来の板状逆Ｆ型アンテナが回路ボードに置かれることを表わす説明図である。
【図３】この発明の第１の実施例による板状逆Ｆ型アンテナを表わす説明図である。
【図４】この発明の第２の実施例による板状逆Ｆ型アンテナを表わす説明図である。
【図５】この発明の第３の実施例による板状逆Ｆ型アンテナを表わす説明図である。
【図６】この発明の第４の実施例による板状逆Ｆ型アンテナを表わす説明図である。
【符号の説明】
【００２２】
２                              ＰＤＡ
３                              処理モジュール
４                              液晶表示装置
５                              ＲＦモジュール
６                              アンテナ
７                              電源回路
８                              ＵＳＢインターフェイス
９                              ＵＡＲＴ
１０、４８、５０、６０、７０    アンテナ
１２                            回路ボード
１４、３８、５２、６２、７２    ラジエーター
１６                            フィード端
１８                            信号伝送端
２０、３０                      接地端
２２、４０、５４                接地板
３０                            接地端
３２                            フィード端
３６                            基板
３７                            凹部
４２                            溝
４４、４６                      金属孔
４６                            金属孔
５６                            基板
【図１】
2004364236.tif 000003
【図２】
2004364236.tif 000004
【図３】
2004364236.tif 000005
【図４】
2004364236.tif 000006
【図５】
2004364236.tif 000007
【図６】
2004364236.tif 000008